(57)【要約】【課題】  セラミックスラドルにおいて、セラミックス製の容器部が金属製のブラケットから抜け外れることを確実に防止できるようにする。【解決手段】  セラミックスラドルは、容器部１と、略上下方向に貫通する１本以上の貫通孔１９を有するブラケット受け部１７と、貫通孔１９に挿入された固定部材３と、ブラケット２とを備える。ブラケット受け部１７は、容器部１と一体的にセラミックスで形成されている。固定部材３は、貫通孔１９に対して下側から挿入されることによって貫通して貫通孔１９の上側に一部が突出しているが、貫通孔１９の内部で係止部８に掛合することによって、貫通孔１９の上側からは抜き取ることができない形状を有する。固定部材３のうち貫通孔１９の上側に突出した部分は、ブラケット固定手段によってブラケット２と接続されている。【選択図】        図２
2005271048.tif 000002
【特許請求の範囲】
【請求項１】
容器部と、
略上下方向に貫通する１本以上の貫通孔を有するブラケット受け部と、
前記貫通孔に挿入された固定部材と、
ブラケットとを備え、
前記ブラケット受け部は、前記容器部と一体的にセラミックスで形成されており、前記貫通孔は、内部に係止部を有し、前記固定部材は、前記貫通孔に対して下側から挿入されることによって貫通して前記貫通孔の上側に一部が突出しており、前記固定部材は、前記貫通孔の内部で前記係止部に掛合することによって、前記貫通孔の上側からは抜き取ることができない形状を有し、前記固定部材のうち前記貫通孔の上側に突出した部分は、ブラケット固定手段によって前記ブラケットと接続されている、セラミックスラドル。
【請求項２】
前記固定部材は、前記ブラケットを貫通して、前記ブラケットよりも上側に突出する上側突出部を有しており、前記ブラケット固定手段は、前記上側突出部の表面に設けられたねじ溝と、前記ブラケットを下向きに押さえ付けるように前記上側突出部の前記ねじ溝に締め付けられたナットとを含む、請求項１に記載のセラミックスラドル。
【請求項３】
前記ブラケット固定手段は、前記ナットと前記ブラケットとの間に介装された皿バネを含む、請求項２に記載のセラミックスラドル。
【請求項４】
前記貫通孔は、前記係止部より上側が分岐しており、前記固定部材は、前記係止部を折り返し点とする略Ｕ字形となっている、請求項１から３のいずれかに記載のセラミックスラドル。
【請求項５】
前記貫通孔は、前記係止部より上側が前記係止部より下側に比べて細くなっており、前記固定部材は、略Ｌ字形となっている、請求項１から３のいずれかに記載のセラミックスラドル。
【請求項６】
前記係止部は斜面となっており、前記固定部材は、９０°よりも大きく開いた略Ｌ字形となっている、請求項５に記載のセラミックスラドル。
【請求項７】
前記係止部は前記貫通孔の内部に設けられた上方に向かうにつれて細くなるテーパ状受入れ部を有し、前記固定部材は、前記テーパ状受入れ部の形状に対応したテーパ状部分を有する、請求項１に記載のセラミックスラドル。
【請求項８】
前記固定部材が前記係止部に掛合する部分に、緩衝部材が介在する、請求項１から７のいずれかに記載のセラミックスラドル。
【請求項９】
前記緩衝部材は、金属板である、請求項８に記載のセラミックスラドル。
【請求項１０】
前記緩衝部材は、弾性体である、請求項８に記載のセラミックスラドル。
【請求項１１】
前記貫通孔の下端は、セラミックスからなる封止部材によって塞がれている、請求項１から１０のいずれかに記載のセラミックスラドル。
【請求項１２】
前記容器部は、外周の少なくとも１ヶ所に溶湯注ぎ口を有し、前記ブラケット受け部は、前記容器部を前記溶湯注ぎ口の側から見たときに前記溶湯注ぎ口の左右いずれか一方または前記溶湯注ぎ口の左右両側に並んで見える位置に少なくとも１つ設けられている、請求項１から１１のいずれかに記載のセラミックスラドル。
【発明の詳細な説明】
【技術分野】
【０００１】
本発明は、鋳造加工の現場で、アルミニウム合金などの溶融金属を汲み出したり供給したりするために用いられるセラミックス製のラドル（以下「セラミックスラドル」という。）に関するものである。
【背景技術】
【０００２】
従来のセラミックスラドルにおいては、セラミックス製の容器本体（以下「セラミックス容器」ともいう。）と金属製のブラケットとの接続部においてセラミックスに応力集中が発生してセラミックス側の破損が発生しやすいという問題があった。これに対して、たとえば特開平１１−１４７１６８号公報の段落０００６〜０００８および図３〜図５（特許文献１）では、応力集中を軽減させるために、孔のあいた金属製支持板を用い、その孔の内部にセラミックス容器と同程度の熱膨張率を有するセラミックス片および接着剤を充填した状態で、この金属支持板をセラミックス容器の側面部に埋設している。
【特許文献１】特開平１１−１４７１６８号公報（段落０００６〜０００８および図３〜図５）
【発明の開示】
【発明が解決しようとする課題】
【０００３】
上述の従来のセラミックスラドルは、セラミックス容器と同程度の熱膨張率を有するセラミックス片と接着剤を孔内部に充填した金属製支持板なる板をセラミックス容器の側面部に埋設しているが、実際に作業に使用していると、セラミックスラドルの自重および汲み取った溶融金属の重量が金属製支持板に対して繰返し荷重をもたらす。この繰返し荷重によって金属製支持板が抜け、セラミックス容器が金属製ブラケットから抜け外れるおそれがあった。
【０００４】
そこで、本発明は、セラミックス製の容器部が金属製のブラケットから抜け外れることを確実に防止できるセラミックスラドルを提供することを目的とする。
【課題を解決するための手段】
【０００５】
上記目的を達成するため、本発明に基づくセラミックスラドルは、容器部と、略上下方向に貫通する１本以上の貫通孔を有するブラケット受け部と、上記貫通孔に挿入された固定部材と、ブラケットとを備える。上記ブラケット受け部は、上記容器部と一体的にセラミックスで形成されている。上記貫通孔は、内部に係止部を有する。上記固定部材は、上記貫通孔に対して下側から挿入されることによって貫通して上記貫通孔の上側に一部が突出している。上記固定部材は、上記貫通孔の内部で上記係止部に掛合することによって、上記貫通孔の上側からは抜き取ることができない形状を有する。上記固定部材のうち上記貫通孔の上側に突出した部分は、ブラケット固定手段によって上記ブラケットと接続されている。
【発明の効果】
【０００６】
本発明によれば、ブラケット受け部の貫通孔に固定部材が挿入され、貫通孔の内部で係止部に掛合して上側からは抜き取ることができない形状となっていながら固定部材の上側突出部は、ブラケット固定手段と接続されているので、繰返し使用しても固定部材が抜け落ちることはない。その結果、セラミックス製の容器部が金属製のブラケットから外れることを確実に防止できるセラミックスラドルとすることができる。
【発明を実施するための最良の形態】
【０００７】
（実施の形態１）
（構成）
図１〜図３を参照して、本発明に基づく実施の形態１におけるセラミックスラドルについて説明する。図１に示すように、このセラミックスラドルは、容器部１と、ブラケット受け部１７と、固定部材３と、ブラケット２とを備える。容器部１およびブラケット受け部１７はセラミックスによって一体形成されたものである。ブラケット２は金属製である。図１におけるブラケット受け部１７近傍の拡大断面図を図２に示す。ブラケット受け部１７は、図２に示されるように、略上下方向に貫通する１本以上の貫通孔１９を有する。ここでいう「貫通孔」はブラケット受け部１７を貫通するように一旦設けられたものであれば、最終構造としては別の部材によって塞がれているものであってもよい。図２に示す例では、貫通孔１９の下端はセラミックスからなる封止部材としてのセラミックス片６によって塞がれている。
【０００８】
貫通孔１９は、内部に係止部８を有する。固定部材３は、貫通孔１９に対して下側から挿入されることによって貫通して貫通孔１９の上側に一部が突出している。固定部材３は、貫通孔１９の内部で係止部８に掛合することによって、貫通孔１９の上側からは抜き取ることができない形状を有する。固定部材３のうち貫通孔１９の上側に突出した部分は、ブラケット固定手段によってブラケット２と接続されている。ブラケット固定手段は、ブラケット２をブラケット受け部１７に対して固定するためのものである。
【０００９】
固定部材３は、貫通孔１９の上側に突出するだけでなくさらにブラケット２を貫通して、ブラケット２よりも上側に突出する上側突出部３ａを有している。本実施の形態では、ブラケット固定手段は、上側突出部３ａの表面に設けられたねじ溝（図示せず）と、ブラケット２を下向きに押さえ付けるように上側突出部３ａのねじ溝に締め付けられたナット４とを含む。本実施の形態では、ブラケット固定手段は、さらに、ナット４とブラケット２との間に介装された皿バネ５を含む。
【００１０】
本実施の形態では、貫通孔１９は、係止部８より上側が分岐しており、固定部材３は、係止部８を折り返し点とする略Ｕ字形となっている。
【００１１】
（製造方法）
このセラミックスラドルは、以下の方法によって製造することができる。石膏の鋳型を用意する。液体と固体とが混合した泥状の材料であるセラミックス素材スラリーを鋳型に流し込む。焼成前の粘土状乾燥素材を用いて、あるいは、公知のグリーン成形の手法を用いて容器部１とブラケット受け部１７とが一体となったグリーン成形体を作る。このグリーン成形体には固定金具３を通すための貫通孔１９を形成しておく。このグリーン成形体を焼成する。こうして、グリーン成形体は、セラミックスからなる一体物の部品となる。
【００１２】
この一体物の部品の貫通孔１９に、Ｕ字形に折り曲げた金属棒である固定部材３を下側から挿入する。固定部材３は両端または全体にねじ溝が設けてあってもよい。ねじ溝が設けてある場合、図１、図２に示したように、このねじ溝にナット４を締め付けることによって、ブラケット固定手段として利用することができる。
【００１３】
次に、容器部１と同程度の熱膨張率を有するセラミックス片６を用意し、貫通孔１９の下端を塞ぐようにセラミックス片６を嵌め込む。このときセラミックス片６とブラケット受け部１７との隙間はセラミックス系接着剤によって封止する。この状態で、容器部１を低温度焼成することでセラミックス片６は接着剤によって固定され、貫通孔１９の封止が完了する。さらに、ブラケット２を接続する。こうして、図１に示したセラミックスラドルが完成する。
【００１４】
（作用・効果）
本実施の形態では、ブラケット受け部１７に設けられた貫通孔１９に固定部材３が挿入され、貫通孔１９の内部で係止部８に掛合して上側からは抜き取ることができない形状となっていながら固定部材３のうち貫通孔１９の上側に突出した上側突出部３ａは、ブラケット固定手段によってブラケット２と接続されているので、繰返し使用しても固定部材３が抜け落ちることはない。その結果、セラミックス製の容器部１が金属製のブラケット２から外れることを確実に防止できるセラミックスラドルとすることができる。
【００１５】
（緩衝部材）
ただし、固定部材３の全体にねじ溝が設けてある場合には、ねじ山が係止部８にも当接することとなる。そのままでは、ナット４を締め付けた際に生じる押し付け力や、セラミックスラドル使用時の荷重による押し付け力によって、係止部８の当接面をねじ山が傷つけてしまうおそれがある。実際に固定部材３として、ねじロッドをＵ字形に折り曲げたものを使用し、チタン酸アルミナセラミックスからなる容器部１を備えるセラミックスラドルを組み立てて溶融金属の汲み取り作業に使用した結果、数百回使用した時点で固定部材３とブラケット２との取付け部分が緩んでしまう現象が発生した。これは、係止部８は容器部１同様にチタン酸アルミナセラミックスで形成されており、そのため多孔質で削られ易い性質を有することに起因している。
【００１６】
そこでこの現象を解消するための対策として、図２に示すように固定部材３と係止部８とが接触する部分に緩衝部材を介在させることが考えられる。緩衝部材の一例として厚み０．１ｍｍのステンレス系の金属板７を介在させる構造とした。この構造を備えるセラミックスラドルを使用したところ、５０００回使用しても固定部材３とブラケット２との取付け部分が緩まないことが確認できた。
【００１７】
この例のように緩衝部材を金属板とした場合、狭い隙間にも緩衝部材を配置することができる。また、金属板は固定部材が当接することによって作用する荷重を分散させて係止部に伝えることができるのでセラミックス部分の摩耗や破損を防ぐ上で好ましい。
【００１８】
（皿バネ）
本実施の形態におけるセラミックスラドルは、溶融したアルミニウムなどの軽金属を運搬するために用いられるものである。このような用途で実際に使用する際には、容器部１の温度は４００℃〜６００℃にまで上昇する。この温度上昇は固定部材３においても生じる。固定部材３自体は金属製であり、固定部材３と接するブラケット２も金属製であり、ブラケット２は溶湯金属供給用ロボット（図示せず）本体につながっているので、固定部材３の熱はブラケット２を通じて溶湯金属供給用ロボット本体に逃がされる。このことによって、固定部材３の温度上昇はある程度抑制されるが、それでも最高４００℃程度にはなる。このとき容器部１と固定部材３との線膨張係数の差が問題となる。金属製の固定部材３がたとえば８０ｍｍの長さで線膨張係数が１３．６ｐｐｍ／℃だとすると、常温から４００℃上昇したときには約０．４３ｍｍ伸びてしまう。このように固定部材３が熱膨張してもセラミックス製の容器部１はそれほどは熱膨張しないので、ナット４で固定していた部分が緩んでしまうことがある。
【００１９】
そこで、この緩みを防止するために、図１、図２に示すように、ブラケット受け部１７に埋設した固定部材３の突出する箇所１つにつき複数個ずつのナット４を締めることとし、ブラケット２とナット４との間には耐熱性があり高温耐力の高い皿バネ５を介在させることが有効である。こうして、ナット４の締付けを強くして金属製のブラケット２を締結する。たとえば、固定部材３に弾性限度上限に近い歪み０．１５％を与えるような締付け力でナット４を締め付けた場合、高さ８０ｍｍの固定部材３においては
８０ｍｍ×０．１５／１００＝０．１２ｍｍ
の伸びが生じることとなる。したがって、熱膨張が生じたとしても０．１２ｍｍ分までは熱膨張の影響が吸収される。しかし、上述したように熱膨張による伸びが約０．４３ｍｍであるとすると、残りの約０．３ｍｍ分の変形を皿バネ５の弾性変形で吸収してやる必要がある。したがって、本実施の形態では、ストロークが０．３ｍｍ以上になるようなタイプの皿バネを選択して使用することが一つの方法として考えられる。
【００２０】
あるいは、さらに固定部材３が長くなることもありうることを考慮すれば、耐熱性があり高温耐力の高い皿バネを複数個重ねて使用することが有効である。図３にナット４の締付け部分近傍を拡大して示す。図３に示す例では、皿バネ５ａ，５ｂ，５ｃを重ねて使用している。このように皿バネを複数個重ねて使用することで、吸収できる伸び量の上限を自在に大きくすることができる。その結果、大きく熱膨張してもその伸び量を複数個の皿バネの弾性変形によって吸収することができるので、ナット４が緩むことをより確実に防止することができる。
【００２１】
（その他）
皿バネ５を用いる代わりに、耐熱性があり高温耐力の高いコイルスプリング、板バネを折り曲げたもの、耐熱性・高温耐力の高いバネ座金を挟み込む構造を用いても同様の効果を得ることができる。
【００２２】
また、固定部材３の材質としては、たとえばＳＵＳ４３０系の線膨張係数の小さい材料を使用することが好ましい。さらには、線膨張係数が５ｐｐｍ／℃程度と小さいタングステンワイヤ材料などを使用して緩みを抑制する方法も有効と考えられる。
【００２３】
図２に示した例では、ブラケット受け部１７の内部にＵ字形の固定部材３を２本埋設し、ブラケット２の上側に突出した合計４ヶ所で締め付ける構造を示したが、このように埋設する固定部材３の数は２本に限らず、１本であっても３本以上であってもよい。
【００２４】
なお、図１〜図３では、ナット４の緩みを防ぐためにダブルナット構造を適用した例を示しているが、ダブルナット構造とする代わりに、シングルナット構造で固定部材３に小径穴を設けてナット上部に緩み止めピンを打ち込むこととしてもよい。こうすることによっても、ナットを固定部材３に対して固定することができる。
【００２５】
本実施の形態では、図２に示すように、セラミックスからなる封止部材としてのセラミックス片６によって貫通孔１９の下端が塞がれていたが、このようになっていることによって、貫通孔１９の内部に高温の溶融金属が入り込むことを防止できるので、貫通孔１９内部が高温にさらされて劣化することを防止できる。
【００２６】
（Ｕ字形）
図２に示した例では、貫通孔１９は係止部８より上側が分岐しており、固定部材３は係止部８を折り返し点とする略Ｕ字形となっているので、固定部材３が抜けることはきわめて確実に防止することができる。固定部材３が貫通孔１９の係止部８に当接して引っ掛かる部分には緩衝部材としての金属板７が介在しているので、固定部材３が係止部８を磨耗させることも防止できる。
【００２７】
図２では、容器部１のブラケット受け部１７に、金属棒をＵ字形にした固定部材３を通す例について示したが、固定部材３は金属棒を加工したものに限らず、たとえば金属製のワイヤの両端にねじ部を設けた構造であってもよい。
【００２８】
（実施の形態２）
（構成）
図４〜図７を参照して、本発明に基づく実施の形態２におけるセラミックスラドルについて説明する。このセラミックスラドルにおいては、図４に示すようにブラケット受け部１７に設けられた貫通孔１９ｈの内部に係止部８ｈが設けられている。貫通孔１９ｈは、係止部８ｈより上側が係止部８ｈより下側に比べて細くなっている。この貫通孔１９ｈの内部に略Ｌ字形の金属部材が固定部材９として配置されている。他の部分の構成は、基本的に実施の形態１で説明したものと同様である。
【００２９】
なお、固定部材９をブラケット２に対して固定するためには、ナットを用いる方法以外に、耐熱性・高温耐力の高いピンとして図５に示すようなＵ字形ピンまたは図６に示すような矩形型ピンを用意し、図７に示すように固定部材９とブラケット２とを互いに締結することも考えられる。このようなピンによる締結方法は他の実施の形態の構造における固定部材についても適用可能である。
【００３０】
（作用・効果）
本実施の形態では、ブラケット受け部１７に設けられた貫通孔１９ｈに固定部材９が挿入され、固定部材９のＬ字形に折れ曲がった部分が貫通孔１９ｈの内部で係止部８ｈに掛合して上側からは抜き取ることができない形状となっており、なおかつ、固定部材９のうち貫通孔１９ｈの上側に突出した上側突出部９ａは、ブラケット固定手段と接続されているので、繰返し使用しても固定部材９が抜け外れることはない。その結果、実施の形態１の場合と同様に、セラミックス製の容器部１が金属製のブラケット２から外れることを確実に防止できるセラミックスラドルとすることができる。
【００３１】
（実施の形態３）
（構成）
図８、図９を参照して、本発明に基づく実施の形態３におけるセラミックスラドルについて説明する。このセラミックスラドルにおいては、図８に示すように、ブラケット受け部１７に設けられた貫通孔１９ｉの内部に係止部８ｉが設けられている。係止部８ｉは貫通孔１９ｉの内部に設けられた上方に向かうにつれて細くなるテーパ状受入れ部を有する。固定部材１１は、金属製の略台形の板状部材であり、テーパ状受入れ部の形状に対応したテーパ状部分を有する。固定部材１１の上側突出部１１ａには留めピン用穴１２が設けられている。一方、ブラケット２にも留めピン用穴１２と連通する孔があいている。図９に示すように、ブラケット２の孔と固定部材１１の留めピン用穴１２とを貫通するように留めピン１０が挿入されることによって固定部材１１とブラケット２とが締結されている。他の部分の構成は、基本的に実施の形態１で説明したものと同様である。
【００３２】
（作用・効果）
本実施の形態では、固定部材１１のテーパ状部分が係止部８ｉのテーパ状受入れ部に嵌り込み、貫通孔１９ｉの上側からは抜き取ることができない形状となっており、なおかつ、固定部材１１の上側突出部１１ａは、ブラケット固定手段と接続されているので、繰返し使用しても固定部材１１が抜け外れることはない。その結果、実施の形態１の場合と同様に、セラミックス製の容器部１が金属製のブラケット２から外れることを確実に防止できるセラミックスラドルとすることができる。特に、本実施の形態では、固定部材１１とブラケット受け部１７とが当接する面積を大きくすることができるのでセラミック側にかかる負荷の集中を緩和することができる。
【００３３】
（実施の形態４）
（構成）
図４に示した固定金具９を応用した例として、図１０、図１１を参照して、本発明に基づく実施の形態４におけるセラミックスラドルについて説明する。このセラミックスラドルにおいては、図１０に示すように、ブラケット受け部１７の係止部８ｊと固定部材２０とが接触する部分を斜面としている。固定部材２０は、高温耐力の高いバネ材料で構成され、９０°よりも大きく開いた略Ｌ字形となっている。ナット４で固定部材２０を締め上げた際に、固定部材２０は上側に引っ張られるが固定部材２０の下端の折れ曲がった部分が係止部８ｊの斜面に引っ掛かるので固定部材２０は弾性変形する。その結果、図１０に示す状態となっている。この状態では、固定部材２０が元の形状に戻ろうとする力によって容器部１とブラケット２とは互いに押しつけ合うようにして相対的に固定されている。
【００３４】
（作用・効果）
本実施の形態では、温度が上昇して固定部材２０が熱膨張によって伸びても、図１１に示すように固定部材２０の折れ曲がった部分が係止部８ｊの斜面に沿って滑り戻っていくこととなるので、熱膨張時の緩みを防止することが可能となる。
【００３５】
（実施の形態５）
（構成）
図１２を参照して、本発明に基づく実施の形態５におけるセラミックスラドルについて説明する。図２に示した構造の応用例として図１２に示す構造が考えられる。この例では、緩衝部材として耐熱性があり高温耐力の高いバネリング１３が固定部材３と係止部８との間に挟まれている。
【００３６】
（作用・効果）
本実施の形態では、固定部材３と係止部８との直接接触を防ぐことができ、同時に固定部材３の熱膨張による緩みを防止することができる。緩衝部材はバネリングに限らず、他の弾性体であってもよい。緩衝部材が弾性体であれば、衝撃や振動も吸収することができるので、より確実にセラミックス部分の摩耗や破損を防止することができる。
【００３７】
なお、実施の形態４では、図１０、図１１に示すように高温耐力の高いバネ材料を使用して緩み防止を図った例を示したが、固定部材の材料を、高温耐力が高くないが耐熱性のある材料とした場合、図１０、図１１に示した構造とすることが不適切であるのでその代わりに図１３に示すように固定部材２０と係止部８ｊとの間にバネリング１３を入れることが考えられる。こうすることにより、固定部材２０とブラケット２との締結の緩みを有効に防止することができる。
【００３８】
（実施の形態６）
（構成）
図１４〜図１６を参照して、本発明に基づく実施の形態６におけるセラミックスラドルについて説明する。このセラミックスラドルにおけるブラケット受け部の内部の構造は、実施の形態１〜５のうちのいずれかで説明したものであってよい。本実施の形態においては、ブラケット受け部は、容器部１を溶湯注ぎ口１４の側から見たときに溶湯注ぎ口１４の左右いずれか一方または溶湯注ぎ口１４の左右両側に並んで見える位置に少なくとも１つ設けられている、
図１４は、本実施の形態におけるセラミックスラドルの第１の例を上から見たところである。容器部１は、外周の少なくとも１ヶ所に溶湯注ぎ口１４を有する。図示した例では、容器部１は、右端の１ヶ所に溶湯注ぎ口１４を有する。ブラケット受け部１７は、容器部１を溶湯注ぎ口１４の側から見たときに溶湯注ぎ口１４の左側に並んで見える位置に設けられている。
【００３９】
図１５は、本実施の形態におけるセラミックスラドルの第２の例を上から見たところである。この例では、容器部１は、右端の１ヶ所に溶湯注ぎ口１４を有するところまでは第１の例と同じであるが、ブラケット受け部１７ａは、容器部１を溶湯注ぎ口１４の側から見たときに溶湯注ぎ口１４の右側に並んで見える位置に設けられている。
【００４０】
図１６は、本実施の形態におけるセラミックスラドルの第３の例を上から見たところである。この例では、容器部１は、右端の１ヶ所に溶湯注ぎ口１４を有するところまでは第１の例と同じであるが、ブラケット受け部１７ｂ，１７ｃは、容器部１を溶湯注ぎ口１４の側から見たときに溶湯注ぎ口１４の左右両側に並んで見える位置に設けられている。ブラケット受け部は、左右に１ヶ所ずつの合計２ヶ所に設けられている。これは、運搬する溶湯の重量が大きいときに適している。
【００４１】
（作用・効果）
本実施の形態では、溶湯注ぎ口１４に近い位置に確実に設けられているので、溶湯供給ロボットは、溶湯を注ぐ作業においてセラミックスラドルを安定に支えることができる。特に第３の例によれば、溶湯注ぎ口１４を挟むように２ヶ所にブラケット受け部が設けられることとなるので、溶湯の重量が大きい場合にも２つのブラケット受け部によって荷重を分散して支えることができ、好ましい。
【００４２】
なお、図１４〜図１６では、ブラケット受け部に接続されるブラケットは図示省略されている。溶湯供給ロボットは、ブラケットを介してセラミックラドルを保持している。
【００４３】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【図面の簡単な説明】
【００４４】
【図１】本発明に基づく実施の形態１におけるセラミックスラドルの側面図である。
【図２】本発明に基づく実施の形態１におけるセラミックスラドルの部分断面図である。
【図３】本発明に基づく実施の形態１におけるセラミックスラドルのナットの締付け部分近傍の拡大断面図である。
【図４】本発明に基づく実施の形態２におけるセラミックスラドルの部分断面図である。
【図５】本発明に基づく実施の形態２において固定部材とブラケットとを接続するために用いるＵ字形ピンの正面図である。
【図６】本発明に基づく実施の形態２において固定部材とブラケットとを接続するために用いる矩形型ピンの正面図である。
【図７】本発明に基づく実施の形態２においてピンを使用したセラミックスラドルの部分断面図である。
【図８】本発明に基づく実施の形態３におけるセラミックスラドルの部分断面図である。
【図９】本発明に基づく実施の形態３におけるセラミックスラドルの側面図である。
【図１０】本発明に基づく実施の形態４におけるセラミックスラドルの部分断面図である。
【図１１】本発明に基づく実施の形態４におけるセラミックスラドルが高温になった状態での部分断面図である。
【図１２】本発明に基づく実施の形態５におけるセラミックスラドルの第１の例の部分断面図である。
【図１３】本発明に基づく実施の形態５におけるセラミックスラドルの第２の例の部分断面図である。
【図１４】本発明に基づく実施の形態６におけるセラミックスラドルの第１の例の部分断面図である。
【図１５】本発明に基づく実施の形態６におけるセラミックスラドルの第２の例の部分断面図である。
【図１６】本発明に基づく実施の形態６におけるセラミックスラドルの第３の例の部分断面図である。
【符号の説明】
【００４５】
１  容器部、２  ブラケット、３  （略Ｕ字形の）固定部材、３ａ，９ａ，１１ａ，２０ａ  上側突出部、４  ナット、５，５ａ，５ｂ，５ｃ  皿バネ、６  セラミックス片、７  金属板、８，８ｈ，８ｉ，８ｊ  係止部、９，２０  （略Ｌ字形の）固定部材、１０  留めピン、１１  （テーパ形状の）固定部材、１２  留めピン用穴、１３  バネリング、１４  溶湯注ぎ口、１７，１７ａ，１７ｂ，１７ｃ  ブラケット受け部、１８  係止部、１９，１９ｈ，１９ｉ，１９ｊ  貫通孔。
【図１】
2005271048.tif 000003
【図２】
2005271048.tif 000004
【図３】
2005271048.tif 000005
【図４】
2005271048.tif 000006
【図５】
2005271048.tif 000007
【図６】
2005271048.tif 000008
【図７】
2005271048.tif 000009
【図８】
2005271048.tif 000010
【図９】
2005271048.tif 000011
【図１０】
2005271048.tif 000012
【図１１】
2005271048.tif 000013
【図１２】
2005271048.tif 000014
【図１３】
2005271048.tif 000015
【図１４】
2005271048.tif 000016
【図１５】
2005271048.tif 000017
【図１６】
2005271048.tif 000018